(57)【要約】【課題】ペアリングの設定を確実にできる照明制御装置を提供する。【解決手段】  照明制御装置１０は、特定の電波リモコン２０により、特定の照明器具３０にＩＤを設定してペアリングを行い、周囲の不特定な電波リモコン２０によりＩＤが設定されないように、受信感度を低くするとともに、ランプ３１の点灯に伴うノイズの影響を低減するためにランプ３１を消灯させる。【選択図】図１
2012089276.tif 000002
【特許請求の範囲】
【請求項１】
ランプと、
電波リモコンからの電波リモコン信号を受信する受信部と、
前記受信部の受信感度を高くしたり低くしたりする受信感度調整部と、
受信された信号に基づいて点灯回路部へ制御信号を与えたり、記憶部に記憶させたりする制御部と、
ＩＤや制御情報を記憶する前記記憶部と、
前記制御部からの信号に基づいて前記ランプの調光および点滅を制御する前記点灯回路部とを備える照明器具と、
前記制御情報を電波で発信する送信部と、
スイッチにより指定された制御情報を前記送信部に送る制御部と、
ＩＤおよび前記制御情報を記憶する記憶部とを備える電波リモコンとから構成され、
特定の前記電波リモコンにより、特定の前記照明器具にＩＤを設定してペアリングを行い、
周囲の不特定な前記電波リモコンによりＩＤが設定されないように、前記受信感度を低くするとともに、前記ランプの点灯に伴うノイズの影響を低減するために前記ランプを消灯させる照明制御装置。
【請求項２】
請求項１に記載の照明制御装置において、
前記ペアリングを行うために、前記受信感度を低くするとともに前記ランプを消灯させるためのトリガーとして、前記照明器具にスイッチを設ける照明制御装置。
【請求項３】
請求項１に記載の照明制御装置において、
前記ペアリングを行うために、前記受信感度を低くするとともに前記ランプを消灯させるためのトリガーとして、前記照明器具の電源投入時にＩＤが設定されていないことを適用する照明制御装置。
【発明の詳細な説明】
【技術分野】
【０００１】
本発明は、ＩＤにより識別される電波受信機能を有する複数の照明器具と、電波送信機能を有する電波リモコンとにより、ＩＤを設定して交信相手を特定するペアリングの設定を行う照明制御装置に関する。
【背景技術】
【０００２】
従来より、受信装置の作動時に、受信装置の受信感度を通常使用時の受信感度よりも低い状態に切り換え、その後に、受信装置に外部からＩＤコードを供給し、その供給されたＩＤコードを登録ＩＤコードとして受信装置のメモリに登録する照明制御装置が知られている（例えば、特許文献１参照）。
【先行技術文献】
【特許文献】
【０００３】
【特許文献１】特開２００２−１８０７１８号公報（図１、請求項１）
【発明の概要】
【発明が解決しようとする課題】
【０００４】
図５に示すように、前述した特許文献１に記載された照明制御装置は、受信装置の感度において、照明器具に直近の電波リモコンの信号レベルＳ１１を、周囲の照明器具の電波リモコンの信号レベルＳ１２よりも低くして、周囲の電波リモコンからの信号を無視し、直近のペアリングさせるべき電波リモコンからの信号を受信してＩＤを設定することによりＩＤの登録を間違いなく行うことができる。
【０００５】
ところで、図６に示すように、照明器具はノイズ源となるランプを点灯させるために、受信装置の感度において、照明器具に直近の電波リモコンの信号レベルＳ１１を、周囲の照明器具の電波リモコンの信号レベルＳ１２よりも低くしたとしても、自ら発生する高い電磁（電波）ノイズＮ１１により、電波リモコンからの信号とノイズレベルとのＳ／Ｎ比が小さくなってノイズＮ１１の影響を受けてしまう。
従って、前述した特許文献１に記載された照明制御装置は、外来の高いノイズ等によりＩＤが受信装置に確実に設定されない場合にペアリングを成立できない。
【０００６】
本発明は、前述した課題を解決するためになされたものであり、その目的は、ペアリングの設定を確実にできる照明制御装置を提供することにある。
【課題を解決するための手段】
【０００７】
本発明に係る照明制御装置は、ランプと、電波リモコンからの電波リモコン信号を受信する受信部と、前記受信部の受信感度を高くしたり低くしたりする受信感度調整部と、受信された信号に基づいて点灯回路部へ制御信号を与えたり、記憶部に記憶させたりする制御部と、ＩＤや制御情報を記憶する前記記憶部と、前記制御部からの信号に基づいて前記ランプの調光および点滅を制御する前記点灯回路部とを備える照明器具と、前記制御情報を電波で発信する送信部と、スイッチにより指定された制御情報を前記送信部に送る制御部と、ＩＤおよび前記制御情報を記憶する記憶部とを備える電波リモコンとから構成され、特定の前記電波リモコンにより、特定の前記照明器具にＩＤを設定してペアリングを行い、周囲の不特定な前記電波リモコンによりＩＤが設定されないように、前記受信感度を低くするとともに、前記ランプの点灯に伴うノイズの影響を低減するために前記ランプを消灯させる。
【０００８】
本発明に係る照明制御装置は、前記ペアリングを行うために、前記受信感度を低くするとともに前記ランプを消灯させるためのトリガーとして、前記照明器具にスイッチを設ける。
【０００９】
本発明に係る照明制御装置は、前記ペアリングを行うために、前記受信感度を低くするとともに前記ランプを消灯させるためのトリガーとして、前記照明器具の電源投入時にＩＤが設定されていないことを適用する。
【発明の効果】
【００１０】
本発明に係る照明制御装置によれば、ペアリングの設定を確実にできるという効果を奏する。
【図面の簡単な説明】
【００１１】
【図１】本発明に係る第１実施形態の照明制御装置の回路構成図
【図２】本発明に係る第１実施形態の照明制御装置における受信感度図
【図３】本発明に係る第１実施形態の照明制御装置の制御動作を説明するフローチャート
【図４】本発明に係る第２実施形態の照明制御装置の制御動作を説明するフローチャート
【図５】従来の照明制御装置のノイズのない状態での受信感度図
【図６】従来の照明制御装置のノイズが高い状態での受信感度図
【発明を実施するための形態】
【００１２】
以下、本発明に係る複数の実施形態の照明制御装置について図面を参照して説明する。
（第１実施形態）
図１に示すように、本発明に係る第１実施形態の照明制御装置１０は、電波リモコン２０と、照明器具３０とから構成される。
電波リモコン２０は、スイッチ２１と、第１ＣＰＵ（制御部）２２と、第１メモリ（記憶部）２３と、信号出力回路２４と、送信部２５と、送信アンテナ２６とを備える。
照明器具３０は、ランプ３１と、インバータ安定器（点灯回路部）３２と、第２ＣＰＵ（制御部）３３と、第２メモリ（記憶部）３４と、信号入力回路３５と、受信部３６と、受信アンテナ３７と、受信感度調整回路部（受信感度調整部）３８と、ペアリングスイッチ３９とを備える。
【００１３】
電波リモコン２０は、第１メモリ２３にＩＤが格納されている。電波リモコン２０は、スイッチ２１が押下されることにより、ペアリングを設定するためのＩＤコードが第１ＣＰＵ２２から出力され、ＩＤコードは信号出力回路２４を介して送信部２５から送信される。電波リモコン２０は、通常の制御時に、スイッチ２１の押下に応じて制御コードが出力される。
【００１４】
照明器具３０は、ペアリングスイッチ３９が押下されることによりペアリングの準備の状態になる。照明器具３０は、ペアリングスイッチ３９が押下されることにより、第２ＣＰＵ３３からの指令信号により受信感度調整回路部３８が一定の時間において受信感度を低下させる。このとき、第２ＣＰＵ３３からの指令信号によりインバータ安定器３２がランプ３１を消灯させ、ランプ３１の消灯状態が維持される。照明器具３０は、電波リモコン２０からのＩＤコードが受信された場合、ＩＤコードが第２メモリ３４に記憶される。以降、記憶されたＩＤコード以外の電波リモコン２０からの制御コマンドは受け付けない。
【００１５】
図２に示すように、ランプ３１が消灯されることにより、ノイズレベルＮ１が下がるために、照明器具３０に直近の電波リモコン２０の信号レベルＳ１を、周囲の照明器具３０の電波リモコン２０の信号レベルＳ２よりも低くしたとしても、ノイズＮ１の影響を受けずに、電波リモコン２０からの電波リモコン信号を確実に認識できる。
従って、ランプ３１が消灯されることによりランプ３１の点灯に伴うノイズＮ１の影響を低減されて、より微弱な電波を送受信できるために、受信感度調整回路部３８により受信部３６の受信感度が低く設定されて電波リモコン２０の出力を下げることにより、隣接する照明器具３０に対する誤ペアリングを防止できる。
【００１６】
次に、照明制御装置１０の制御動作について説明する。
図３に示すように、制御が開始され、電波リモコン２０のスイッチ２１の押下によりペアリングの設定の通信データが電波リモコン２０の送信部２５から送信されて、通信データが照明器具３０の受信部３６により受信されると、ＩＤコードが抽出されて、登録コードが読み取られ、受信されたＩＤコードが登録コードに一致する場合、指令情報が抽出されて制御信号が出力される（ＳＴ１００→ＳＴ１１０→ＳＴ１２０→ＳＴ１３０→ＳＴ１４０）。
このとき、受信されたＩＤコードが登録コードに一致しない場合、これらのルーチンが繰り返される（ＳＴ１００→ＳＴ１１０→ＳＴ１２０→ＳＴ１３０→ＳＴ１００）。
【００１７】
ペアリングスイッチ３９が押下されると、第２ＣＰＵ３３からの指令信号により受信感度調整回路部３８が一定の時間において受信感度を低下させ、第２ＣＰＵ３３からの指令信号によりインバータ安定器３２がランプ３１を消灯させ、電波リモコン２０からのＩＤコードの受信を待ち、電波リモコン２０からのＩＤコードが受信された場合、ＩＤコードを抽出してＩＤコードが第２メモリ３４に記憶される（ＳＴ１００→ＳＴ１１０→ＳＴ１５０→ＳＴ１６０→ＳＴ１７０→ＳＴ１８０→ＳＴ１９０）。
【００１８】
このように、照明制御装置１０は、ＩＤを設定する際に、照明器具３０における受信感度を強制的に低下させ、かつ、電波リモコン２０からの電波リモコン信号とノイズレベルとのＳ／Ｎ比が小さくなるように改善することにより、所望の電波リモコン２０からの電波リモコン信号によりペアリングを行うべき照明器具３０のペアリングを確実にできる。
【００１９】
以上、説明したように第１実施形態の照明制御装置１０によれば、ランプ３１が消灯されることによりランプ３１の点灯に伴うノイズＮ１の影響を低減されて、より微弱な電波を送受信できるために、受信感度調整回路部３８により受信部３６の受信感度が低く設定されて電波リモコン２０の出力を下げることにより、隣接する照明器具３０に対する誤ペアリングを防止して、ペアリングの設定を確実にできる。
【００２０】
また、第１実施形態の照明制御装置１０によれば、ペアリングを行うために、受信感度を低くするとともにランプ３１を消灯させるためのトリガーとして照明器具３０にペアリングスイッチ３９を設けるために、ペアリングの設定を簡単にできる。
【００２１】
（第２実施形態）
次に、本発明に係る第２実施形態の照明制御装置について説明する。
本発明に係る第２実施形態の照明制御装置５０は、工場出荷時に、ＩＤコードが設定されておらず、ペアリングが設定されていない。そのため、使用者が電源を始めて投入した状態ではペアリングの設定がされていない。ペアリングが設定されていない状態において照明器具３０の受信感度が下げられ、ランプ３１が消灯される。そして、電波リモコン２０からの通信データが照明器具３０に受信された際に、ペアリングが設定される。
【００２２】
図４に示すように、照明制御装置５０は、制御が開始され、ＩＤが設定されていないために、受信感度を低下させ、第２ＣＰＵ３３からの指令信号によりインバータ安定器３２がランプ３１を消灯させ、電波リモコン２０からのＩＤコードの受信を待ち、電波リモコン２０からのＩＤコードが受信された場合、ＩＤコードを抽出してＩＤコードが第２メモリ３４に記憶される（ＳＴ２００→ＳＴ２１０→ＳＴ２２０→ＳＴ２３０→ＳＴ２４０→Ｓ２５０）。
【００２３】
その後に、電波リモコン２０からの通信データが受信されると、ＩＤコードが抽出されて、登録コードが読み取られ、受信されたＩＤコードが登録コードに一致する場合、指令情報が抽出されて制御信号が出力される（Ｓ２００→Ｓ２１０→Ｓ２６０→Ｓ２７０→Ｓ２８０→Ｓ２９０）。
このとき、受信されたＩＤコードが登録コードに一致しない場合、これらのルーチンが繰り返される（Ｓ２６０→Ｓ２７０→Ｓ２８０→Ｓ２９０→Ｓ２６０）。
【００２４】
第２実施形態の照明制御装置５０によれば、ペアリングを行うために、受信感度を低くするとともにランプ３１を消灯させるためのトリガーとして照明器具３０の電源投入時にＩＤが設定されていないことを適用させたために、工場出荷時にＩＤが設定されていなければ、ＩＤが設定されるまで受信感度を下げるとともにＳ／Ｎ比を改善させておくことにより、使用者に意識させることなく、所望の電波リモコン２０からの電波リモコン信号によりＩＤの設定を確実にでき、ペアリングを設定できる。
【００２５】
なお、本発明の照明制御装置においてスイッチ，信号出力回路，ランプ，インバータ安定器，信号入力回路等は、前述した各実施形態に限定されるものでなく、適宜な変形や改良等が可能である。
【符号の説明】
【００２６】
１０，５０  照明制御装置
２０  電波リモコン
２１  スイッチ
２２  第１ＣＰＵ（制御部）
２３  第１メモリ（記憶部）
２５  送信部
３０  照明器具
３１  ランプ
３２  インバータ安定器（点灯回路部）
３３  第２ＣＰＵ（制御部）
３４  第２メモリ（記憶部）
３６  受信部
３８  受信感度調整回路部（受信感度調整部）
３９  ペアリングスイッチ（スイッチ）
【図１】
2012089276.tif 000003
【図２】
2012089276.tif 000004
【図３】
2012089276.tif 000005
【図４】
2012089276.tif 000006
【図５】
2012089276.tif 000007
【図６】
2012089276.tif 000008